(57)【要約】【課題】斜行して原稿を搬送した等の原因で、誤って贋物であると判定した原稿に対して、画像の読取を停止すると、もう一度画像の読取を行うために、操作者は、排紙口に排紙された原稿を給紙口に再セットしなければならず、作業効率の低下を招いていた。【解決手段】画像読取装置に原稿の真贋を判定する真贋判定部を設け、該真贋判定部によって贋物と判定された時に該原稿の後端を挟んだ状態で排紙部が停止する。また、該排紙部に当該原稿が存在するか否かを判定し、当該原稿が引き抜かれたことを検知したとき、次処理を行う。【選択図】図２
2012084138.tif 000002
【特許請求の範囲】
【請求項１】
搬送路を搬送される原稿の画像を読取るための読取部と、該原稿の真贋を判定する真贋判定部と、該原稿を排出する排紙部を有する画像読取装置において、
前記真贋判定部によって原稿が贋物と判定されたときに、当該原稿を前記排紙部に保持した状態で排紙動作を停止することを特徴とする画像読取装置。
【請求項２】
前記排紙部に原稿が存在するか否かを検知する原稿検知部を更に有し、
前記真贋判定部によって原稿が贋物と判定されたときに、当該原稿を保持した状態で該排紙部による排紙動作を停止した後に、前記原稿検知部が当該原稿の存在を検知しなくなった場合に、当該原稿から読み取った画像データの処理を実行することを特徴とする請求項１記載の画像読取装置。
【請求項３】
前記真贋判定部によって原稿が贋物と判定されたときに、当該原稿を保持した状態で該排紙部による排紙動作を停止した後に、前記原稿検知部が当該原稿の存在を検知しなくなるか又は、所定の指示を受けた場合に、当該原稿から読み取られた画像データを有効として処理することを特徴とした請求項１又は２記載の画像読取装置。
【請求項４】
前記有効として処理される画像データを外部装置へ転送することを特徴とする請求項３に記載の画像読取装置。
【請求項５】
当該原稿が贋物であるとして処理されるとき、当該原稿から読み取られた画像データを外部装置へ転送することなく破棄することを特徴とする請求項３又は４に記載の画像読取装置。
【請求項６】
前記搬送路の上流側に設けられて原稿を給送する給送部を有し、
前記真贋判定部によって贋物と判定された原稿に続く後続の原稿が前記給送部から前記搬送路内に取り込まれている場合には、当該後続の原稿を前記給送部まで戻すよう制御することを特徴とする請求項１乃至５のいずれか１項に記載の画像読取装置。
【請求項７】
搬送路に沿って原稿を搬送する搬送部と、前記搬送路に沿って搬送される原稿の真贋を判定する真贋判定部と、前記搬送路から原稿を排出する排出部とを有し、前記真贋判定部によって贋物と判定された贋物原稿を前記排出部から排出せずに当該排出部に留まらせることを特徴とする原稿の真贋判定装置。
【請求項８】
前記搬送路の上流側に設けられて原稿を給送する給送部を有し、
前記真贋判定部によって贋物と判定された原稿に続く後続の原稿が前記給送部から前記搬送路内に取り込まれている場合には、当該後続の原稿を前記給送部まで戻すよう制御することを特徴とする請求項７記載の原稿の真贋判定装置。
【請求項９】
搬送路に沿って搬送される原稿の真贋を真贋判定部によって判定し、当該贋判定部によって贋物と判定された贋物原稿を排出せずに排出部に留まらせることを特徴とする原稿の真贋判定方法。
【請求項１０】
前記贋物原稿に続く後続の原稿の給送が行われている場合に、当該後続の原稿を給送部まで戻すことを特徴とする請求項９記載の原稿の真贋判定方法。
【発明の詳細な説明】
【技術分野】
【０００１】
本発明は、搬送路を搬送される原稿の画像を読取る画像読取装置、及び原稿の真贋判定装置、並びに原稿の真贋判定方法に関する。
【背景技術】
【０００２】
商取引や店舗での買い物、レストランでの支払い等においては、証券や小切手等を用いて支払いをすることがある。一般に証券や小切手等の所定の場所には、磁気インクによってＭＩＣＲ文字と呼ばれる文字により、口座番号や金額などが印刷されている。証券や小切手等による精算処理では、原稿に印刷されたＭＩＣＲ文字を読取り、読取ったデータを所定の機関に照会し、その有効性を確認する。しかし、近年多発している、偽造による不正行為を防止するため、有効性を確認するための真贋判定部を付加した証券や小切手等が流通するようになった。真贋判定部としては、例えば透かし部や、赤外線や紫外線に反応するような塗料で印刷された部分等が設けられている。また、特許文献１には、磁気センサや光学センサにより紙幣の真贋や破損を検知できる紙葉類処理装置が開示されている。
【０００３】
また、真贋判定機能を有する従来の画像読取装置は、読取対象の原稿である証券や小切手等から取得した所定の情報に基づき真贋を判定し、判定結果とともに、磁気情報や画像情報を、通信ケーブルを介してホストコンピュータへ転送するとともに、原稿を排紙部から排紙する。
【先行技術文献】
【特許文献】
【０００４】
【特許文献１】特開２００５−３５３００５号公報
【発明の概要】
【発明が解決しようとする課題】
【０００５】
原稿の真贋を判定可能な画像読取装置には、原稿を贋物と判定した場合、当該原稿の画像読取と磁気波形読取を中断し、後続の原稿の読み取りを行わず、音声制御部もしくは表示制御部により操作者に、贋物と判定した旨を通知するものがある。このようなとき、操作者は警告を受けたら、目視によりその原稿の真贋の鑑定を行う。しかし、例えば斜行して搬送された原稿等は、透かし部、赤外線反応部、紫外線反応部が搬送路中に配置された透かし検知部、赤外線検知部、紫外線検知部上を正しく通過しないことから、それらの全てを正常に検出することは出来ない場合があり、本物でも贋物と誤判定してしまうことがある。このような場合、本物の原稿でも読み取りが中断されてしまい、操作者は当該原稿を再度原稿載置部に置き、もう一度読み取らせる処理を行わなければならず、業務効率の低下を招いていた。また、排紙部を１つしか備えていない画像読取装置では、贋物と判定された原稿も本物と判定された原稿も同じ排紙部から排紙されてしまうので、本物として処理された原稿束に贋物と判定された原稿が混じってしまう恐れがあった。
【０００６】
本発明は、上述した事情に鑑み、贋物の原稿を効率よく特定することが可能な画像読取装置、及び原稿の真贋判定装置、並びに原稿の真贋判定方法を提供するものである。
【課題を解決するための手段】
【０００７】
本発明は、前記課題を解決するために発明されたものであり、搬送路を搬送される原稿の画像を読取るための読取部と、該原稿の真贋を判定する真贋判定部と、該原稿を排出する排紙部を有する画像読取装置において、前記真贋判定部によって原稿が贋物と判定されたときに、当該原稿を前記排紙部に保持した状態で排紙動作を停止することを特徴とする。
また、本発明にかかる原稿の真贋判定装置は、搬送路に沿って原稿を搬送する搬送部と、前記搬送路に沿って搬送される原稿の真贋を判定する真贋判定部と、前記搬送路から原稿を排出する排出部とを有し、前記真贋判定部によって贋物と判定された贋物原稿を前記排出部から排出せずに当該排出部に留まらせることを特徴とする。
さらに、本発明にかかる原稿の真贋判定方法は、搬送路に沿って搬送される原稿の真贋を真贋判定部によって判定し、当該贋判定部によって贋物と判定された贋物原稿を排出せずに排出部に留まらせることを特徴とする。
なお、上記本発明において、贋物原稿に続く後続の原稿の給送が行われている場合には、当該後続の原稿を給送部まで戻すことが好ましい。
【発明の効果】
【０００８】
原稿の給送状態の変動等により、画像読取装置が原稿の真贋判定を誤り、本物を贋物と判定した場合に、贋物と判断された原稿が、排紙部から排紙された原稿束に混入し、誤って処理されてしまうおそれがなくなり、業務の的確さを向上させることが可能となる。また、排紙部に原稿検知手段を設け、排紙部で原稿を停止させた状態にて、原稿検知手段が原稿を検知しなくなったとき、当該原稿から読み取った画像データの処理を実行するようにした場合は、当該原稿の画像読取を再度行うことなく、次の原稿の読取処理に移行させることが可能となり、作業効率の向上につながる。
【図面の簡単な説明】
【０００９】
【図１】本発明の実施例に係る画像読取装置のブロック図である。
【図２】本発明の実施例に係るフローチャートである。
【図３】本発明の実施例に係る各種情報検知・読取処理のフローチャートである。
【図４】本発明の実施例に係る画像読取装置の斜視図である。
【図５】本発明の実施例に係る画像読取装置の構成を例示する断面図である。
【図６】本発明の実施例に係る画像読取装置とホストコンピュータとの接続を示す図である。
【図７】本発明の実施例に係る画像読取装置の構成を例示する断面図である。
【図８】本発明の実施例に係る第２原稿検知センサの設置位置を説明するための図である。
【図９】本発明の実施例に係る第２原稿検知センサの他の設置位置を説明するための図である。
【図１０】本発明の実施例に係るフローチャートである。
【図１１】本発明の実施例に係る贋物処理のフローチャートである。
【図１２】本発明の実施例に係る贋物処理のフローチャートである。
【図１３】原稿を例示する図である。
【図１４】原稿上の磁気情報、透かし部、赤外線反応部、紫外線反応部を例示する図である。
【図１５】実施例４の原稿搬送状態を示す概略構成図である。
【図１６】実施例４の真贋判定処理を示すフローチャート図である。
【図１７】実施例４の贋物処理の手順を例示したフローチャート図である。
【図１８】実施例４の贋物判定時に次の原稿を給送している搬送状態図である。
【図１９】実施例４の原稿を給送部に戻している状態図である。
【図２０】実施例４の後続原稿を給送部へ留めて先行原稿を排出する搬送状態図である。
【図２１】実施例５の画像読取装置の概略構成図である。
【図２２】実施例５の真贋判定処理を示すフローチャート図である。
【図２３】実施例５の真物処理を示すフローチャート図である。
【図２４】実施例５の贋物処理を示すフローチャート図である。
【図２５】実施例５の原稿搬送状態を示す概略構成図である。
【図２６】実施例５の贋物原稿を排紙部で停止させ後続原稿を搬送中の状態を示す図である。
【図２７】実施例５の贋物原稿を排紙部で停止させ後続原稿を第１搬送部で停止させる状態を示す図である。
【図２８】実施例５の贋物原稿を取り除いた後で後続原稿の搬送を再開した状態を示した図である。
【図２９】実施例５の贋物原稿を排紙部で停止させた状態を示す図である。
【発明を実施するための形態】
【００１０】
以下に例示する本発明の実施の形態について図面を参照しながら説明する。
＜実施例１＞
【００１１】
図４は、画像読取装置１の斜視図である。画像読取装置１には、原稿を載置するための原稿載置部２と、原稿を搬送するための搬送路（不図示）が設けられている。また、画像読取装置１は、原稿がその上に排出される排紙積載部３を有している。図１は、画像読取装置１のブロック図を示している。画像読取装置１は、画像読取装置の各部の動作を制御しているＣＰＵ８０、原稿９０から磁気情報を読み取る磁気情報読取部８１、原稿９０上の透かし部の有無を検出する透かし検知部８２、原稿９０上の赤外線反応部の有無を検出する赤外線検知部８３、原稿９０上の紫外線反応部の有無を検出する紫外線検知部８４を有している。また、透かし検知部８２、赤外線検知部８３、紫外線検知部８４で検出された各結果を基に原稿９０の真贋を判定する真贋判定部８５、及び画像情報を読み取る画像読取部８６を有している。上記各種検知部や各種読取部はハードウエアで構成されていてもよく、ハードウエアとソフトウエアの組合せで構成されていてもよい。
【００１２】
図１３は、磁気印字された原稿９０を例示する図である。原稿９０の下端近傍にはＭＩＣＲと呼ばれる磁気インク文字認識を可能にするＭＩＣＲ文字９１が印字されている。図１４に例示するように、原稿９０上には紫外線反応部９２、透かし部９３、赤外線反応部９４が配置されているものとする。図５は、画像読取装置１の概略構成を示す断面図である。原稿載置部２に置かれた原稿９０は、給送ローラ４と分離ローラ５によって重送を防止しながら１枚ずつ搬送路６へ給送される。搬送路６には原稿検知センサ７、上述した原稿９０の透かし部９３の有無を検出する透かし検知部８、原稿９０の赤外線反応部９４の有無を検出するための赤外線検知部９、原稿９０の紫外線反応部９２の有無を検出するための紫外線検知部１０、ＭＩＣＲ文字９１を読み取るための磁気情報読取部１１、原稿の画像を読み取るための画像情報読取部１２が設けられている。また、搬送路に原稿を搬送する搬送ローラ１３ａと、排紙口近傍に設けられている原稿を排紙するための排紙ローラ１３ｂは、排紙部を構成する部材の１つである。画像読取装置１は、図６に例示するように、外部装置の一例であるホストコンピュータ２０と通信ケーブル２１を介して接続されているものとする。
【００１３】
図２に、本発明の処理を説明するためのフローチャートを例示する。以降、図２のフローチャートを用いて説明していく。画像読取装置１は、ホストコンピュータ２０から通信ケーブル２１を介して画像読取の指示を受けると本処理を開始するが、画像読取装置１に備える不図示の操作部の操作で開始してもよい。まず、原稿載置部２に原稿９０が載置されているか否かを不図示のセンサを用いて確認する。原稿９０の載置を確認後、給送ローラ４と分離ローラ５によって、載置された原稿束から重送しないように原稿９０を１枚ずつ搬送路へ給送するとともに搬送ローラ１３ａで搬送する。このとき、原稿検知センサ７を通過したことを検知すると画像読取装置１は不図示のタイマを用いて計時を行いながら、図３を用いて後述するステップＳ５０１〜Ｓ５０５にて各種情報の読取／検出を開始する（ステップＳ１０１）。
【００１４】
図３は、ステップＳ１０１での各種情報の読取処理の詳細を例示するフローチャートである。原稿検知センサ７と透かし検知部８間の距離をＬ１、原稿９０の搬送速度をｖとすると、原稿検知からＬ１／ｖ後に原稿９０が透かし検知部８に到達することになる。そこで、原稿９０の先端が原稿検知センサ７を通過した時点からＬ１／ｖの時間の経過後に、上述の原稿９０上にある透かし部９３の有無の検出を開始する（ステップＳ５０１）。
【００１５】
また、原稿検知センサ７と赤外線検知部９間の距離をＬ２、原稿９０の搬送速度をｖとすると、原稿検知からＬ２／ｖ後に原稿９０が赤外線検知部９に到達することになる。そこで、不図示のタイマを用いて時間の測定を行い、原稿９０の先端を原稿検知センサ７が通過した時間からＬ２／ｖの時間の経過後に、原稿９０上にある上述の赤外線反応部９４の有無の検出を開始する（ステップＳ５０２）。
【００１６】
また、原稿検知センサ７と紫外線検知部１０間の距離をＬ３、原稿９０の搬送速度をｖとすると、原稿検知からＬ３／ｖ後に原稿９０が紫外線検知部１０に到達することになる。そこで、不図示のタイマを用いて時間の測定を行い、原稿９０の先端を原稿検知センサ７が通過した時間からＬ３／ｖの時間の経過後に、原稿９０上にある上述の紫外線反応部９２の有無の検出を開始する（ステップＳ５０３）。
【００１７】
また、原稿検知センサ７と磁気情報読取部１１間の距離をＬ４、原稿９０の搬送速度をｖとすると、原稿検知からＬ４／ｖ後に原稿９０が磁気情報読取部１１に到達することになる。そこで、不図示のタイマを用いて時間の測定を行い、原稿９０の先端を原稿検知センサ７が通過した時間からＬ４／ｖの時間の経過後に、原稿９０の下端に印字されている上述のＭＩＣＲ文字９１の読取を開始する（ステップＳ５０４）。
【００１８】
更に、原稿検知センサ７と画像読取部１２間の距離をＬ５とすると、原稿検知からＬ５／ｖ後に原稿９０は、画像読取部１２に到達することになるので、不図示のタイマを用いて時間の測定を行い、原稿９０の先端を原稿検知センサ７が通過した時間からＬ５／ｖの時間の経過後に画像読取を開始する（ステップＳ５０５）。なおステップＳ５０１〜Ｓ５０５で開始した各種の情報を読み取る処理は、並行して実行されるようにすることが望ましいが、順次実行されるような構成にしてもよい。各種情報の読取／検出の終了後、本処理を終了し図２のステップＳ１０２に移行する。なお、各種情報の読取／検出の失敗や、各種情報が存在しない等の理由で各種情報の読取や検出が完了しない場合は、所定の上限時間の経過をもって各種情報の読取／検出を終了させることが望ましい。
【００１９】
各種情報の検知と読取の終了後、画像読取装置１は、図２のステップＳ１０２において、透かし部の有無の検知結果、赤外線反応部の有無の検知結果、紫外線反応部の有無の検知結果を基に図１の真贋判定部８５によって真贋の判定を行う。ステップＳ１０３において、画像読取装置１は、真贋判定の結果、搬送された原稿９０が本物と判定した場合、原稿９０の搬送を継続させ、ステップＳ１０４で排紙積載部３の上へ原稿を排出し本処理を終了する。
【００２０】
一方、ステップＳ１０３での真贋判定の結果、搬送された原稿９０を贋物と判定した場合は次のように処理する。すなわち、原稿検知センサ７と排紙ローラ１３ｂ間の距離をＬ６、原稿９０の搬送速度をｖとすると、原稿検知からＬ６／ｖ後に原稿９０が排紙ローラ１３ｂに到達することになる。そこで、ステップＳ１０５にて不図示のタイマを用いて計時を行いながら、原稿９０の先端が排紙ローラ１３ｂを通過するのに要する時間が経過した時点より後で、原稿９０の後端が排紙ローラ１３ｂを通過し終わる前に搬送ローラ１３ａおよび排紙ローラ１３ｂを停止し排紙動作を停止させる。そして、搬送された原稿９０が贋物と判定された旨のホストコンピュータ２０への通知も行い、本処理を終了する。このように、贋物と判定された原稿が排紙部にニップされたまま保持された状態で停止し、贋物と判定された原稿が本物と判定された排出済み原稿と混ざり合うことがないので、後処理を容易に行うことができる。
【００２１】
＜実施例２＞
以下に本発明に係る第２の実施の形態を、図面を参照しながら具体的に説明を行う。
【００２２】
図７は、本実施の形態の画像読取装置１ａの構成図を示している。実施例１の画像読取装置１と異なるのは、排紙口近傍に、原稿検知部の一部である第２原稿検知センサ１５が設けられている点である。第２原稿検知センサは、図８のように排紙ローラ１３ｂに対して搬送路の上流側に配置されても良いし、図９のように下流側に配置されていてもかまわない。なお、第１原稿検知センサ１４は実施例１の原稿検知センサ７と同等の機能を有し、同等の位置に配置されている。また、第２原稿検知センサはその出力信号が入力されるＣＰＵ８０又は不図示のハードウエアとともに原稿検知部を構成している。
【００２３】
図１０に、本発明の処理を説明するためのフローチャートを例示する。以降、図１０のフローチャートを用いて説明していく。画像読取装置１は、ホストコンピュータ２０から通信ケーブル２１を介して画像読取の指示を受けると本処理を開始し、原稿載置部２に原稿９０が載置されていることを確認後、給送ローラ４と分離ローラ５によって、原稿束から重送しないように原稿９０を１枚ずつ搬送路へ給送するとともに搬送ローラ１３ａで搬送し、第１原稿検知センサ１４を通過したことを検知すると、図３で説明したＳ５０１〜Ｓ５０５の各種情報の読取／検出を行う（ステップＳ２０１）。
【００２４】
ステップＳ２０１の各種情報の読取／検出にて行われる透かし部９３の有無の検出、赤外線反応部９４の有無の検出、紫外線反応部９２の有無の検出、ＭＩＣＲ文字９１の読取および画像読取については、原稿検知センサ７が本実施例では原稿検知センサ１４に代えられていること以外は実施例１での説明と同様であり、省略する。
【００２５】
ステップＳ２０２において、画像読取装置１は、ステップＳ２０１において取得された、透かし部の有無の検知結果、赤外線反応部の有無の検知結果、紫外線反応部の有無の検知結果に基づき真贋判定部８５によって判定を行う。画像読取装置１は、真贋判定の結果、搬送された原稿９０が本物と判定した場合（ステップＳ２０３でＹＥＳ）、原稿９０の搬送を継続させ、読取った画像情報をホストコンピュータ２０へ通信ケーブル２１を介して転送し、排紙積載部３へ原稿の排出を行って本処理を終了する。一方、真贋判定の結果、搬送された原稿９０が贋物であると判定した場合（ステップＳ２０３でＮＯ）、画像読取装置１は、図１１に例示する贋物処理に移行する（ステップＳ２０５）。
【００２６】
図１１は、贋物処理の手順を例示したフローチャートである。贋物処理に移行すると画像読取装置１は、第１原稿検知センサ１４と排紙ローラ１３ｂ間の距離をＬ６、原稿９０の搬送速度をｖとすると、搬送された原稿９０の先端が第１原稿検知センサ１４を通過した時点からＬ６／ｖ後に原稿９０が排紙ローラ１３ｂに到達することになる。そこで、不図示のタイマを用いて計時を行い、原稿９０の先端が排紙ローラ１３ｂを通過するのに要する時間が経過した時点より後で、原稿９０の後端が第２原稿検知センサ１５を通過し終わる前に搬送ローラ１３ａ及び排紙ローラ１３ｂを停止し排紙動作を停止させる（ステップＳ３０１）。
【００２７】
ここで、排紙動作を停止させるタイミングを取るために、第２原稿検知センサ１５の検知結果を用いてもよい。つまり、例えば第２原稿検知センサ１５が排紙ローラ１３ｂよりも距離Ｌ７だけ上流側の位置に設置されているものとし、原稿９０の搬送速度をｖとすると、第２原稿検知センサ１５の検知時点からＬ７／ｖの時間の経過後に原稿９０が排紙ローラ１３ｂに到達することになる。そこで、不図示のタイマを用いて計時を行い、原稿９０の先端が排紙ローラ１３ｂを通過する時点よりも後で、原稿９０の後端が排紙ローラ１３ｂを通過し終わる時点よりも前に排紙動作を停止させるとよい。なお、第２原稿検知センサ１５を通過し終わるまでの間に搬送を停止してもよい。また、原稿９０の後端が第２原稿検知センサ１５を通過し終わったのを検知した直後に排紙動作を停止してもよい。
【００２８】
ステップＳ３０２において、画像読取装置１は、原稿が贋物であるとの判定結果をホストコンピュータ２０へ通信ケーブル２１を介して通知する。なお、操作者に対して、贋物と判定したことを知らせることが目的とする通知であるため、ホストコンピュータ２０へ通知せず画像読取装置自身が不図示のブザー等で操作者に通知するのでもかまわない。ステップＳ３０３において、画像読取装置１は、判定した真贋判定結果が正しいか否かを操作者が確認し、後処理を指示する入力操作が行われるまで待機する。なお、原稿の目視により画像読取装置１の判定結果が正しいか否かを操作者が確認することが必要なため、原稿上の透かし部、赤外線反応部、紫外線反応部の配置を考慮して、これらが排紙口から露出し、操作者による目視が容易となる位置にて画像読取装置１は原稿９０を停止させることが望ましい。
【００２９】
ホストコンピュータ２０を介して、あるいは画像読取装置自身が備える不図示の操作部から操作者による何らかの指示を受けた画像読取装置１は、ステップＳ３０４で操作者の指示内容を確認する。原稿が本物であると操作者が判断し、取得した各種データを有効データとして処理するように指示されたのであれば（ステップＳ３０４でＹＥＳ）、ステップＳ３０５において、ホストコンピュータ２０に通信ケーブル２１を介して画像データを転送し、贋物処理を終了する。一方、原稿が贋物であると操作者が判断し、取得した各種データを無効データとして処理するように操作者から指示されたのであれば（ステップＳ３０４でＮＯ）、ステップＳ３０６において読取った画像データを破棄し贋物処理を終了する。
【００３０】
図１０に戻り、贋物処理を行った画像読取装置１は一連の処理を終了する。
【００３１】
＜実施例３＞
上記実施例３の変形例としての、更に操作者の手間を省くことが可能な、贋物処理の異なる形態について図面を用いて説明する。図１２に他の形態の贋物処理のフローチャートを例示する。画像読取装置１は、搬送された原稿を、その透かし部、赤外線反応部、紫外線反応部の有無に応じて贋物と判定したとき、ステップＳ４０１において、贋物処理を開始する。
【００３２】
第１原稿検知センサ１４と排紙ローラ１３ｂ間の距離をＬ６、原稿９０の搬送速度をｖとすると、搬送された原稿９０の先端が第１原稿検知センサ１４を通過した時点からＬ６／ｖ後に原稿９０が排紙ローラ１３ｂに到達することになる。そこで画像読取装置１は、不図示のタイマを用いて計時を行い、原稿９０の先端が排紙ローラ１３ｂを通過するのに要する時間が経過した時点より後で、原稿９０の後端が第２原稿検知センサ１５を通過し終わる前に搬送ローラ１３ａ及び排紙ローラ１３ｂを停止し排紙動作を停止させる（ステップＳ４０１）。
【００３３】
ここで、排紙動作を停止させるタイミングを取るために、第２原稿検知センサ１５の検知結果を用いても良い。つまり、例えば第２原稿検知センサ１５が排紙ローラ１３ｂよりも距離Ｌ７だけ上流側の位置に設置されているものとし、原稿９０の搬送速度ｖとすると、第２原稿検知センサ１５の検知時点からＬ７／ｖの時間の経過後に原稿９０の先端が排紙ローラ１３ｂに到達することになる。そこで、不図示のタイマを用いて計時を行い、原稿９０の先端が排紙ローラ１３ｂを通過する時点よりも後で、原稿９０の後端が第２原稿検知センサ１５を原稿後端が通過し終わるまでの間に排紙動作を停止させる。このように停止した原稿は、実施例２と同様に排紙ローラ１３ｂにニップされた状態となっている。また、原稿の目視により画像読取装置１の判定結果が正しいか否かを操作者が確認することが必要である。そのため、原稿上の透かし部、赤外線反応部、紫外線反応部の配置を考慮して、これらが排紙口から露出し、操作者による目視が容易となる位置にて画像読取装置１は原稿９０を停止させることが望ましい。
【００３４】
ステップＳ４０２において、画像読取装置1は、原稿を贋物と判定した旨をホストコンピュータ２０へ通信ケーブル２１を介して通知する。これは、操作者に対して、贋物と判定したことを知らせることが目的であり、ホストコンピュータ２０への通知は行わず、画像読取装置自身が不図示のブザー等で通知するのでもかまわない。
【００３５】
ステップＳ４０３とステップＳ４０４の形成する処理ループにおいて、画像読取装置１は、贋物と判定した判定結果を受けて、操作者が目視作業によりどのように処置するか指示するまで待機する。ここでは操作者が目視確認し本物であり誤判定であると認識した場合、操作者によって原稿が排紙口から抜かれることになっている場合について説明する。すなわち操作者が目視により本物と認識し、画像読取装置１の誤判定として原稿を引き抜けば、引き抜かれたことをステップＳ４０３において、第２原稿検知センサ１５によって検知した画像読取装置１は、原稿が本物で取得したデータは有効であるものとして、ステップＳ４０４において、ホストコンピュータ２０に通信ケーブル２１を介して画像データを転送し、贋物処理を終了する。
【００３６】
一方ステップＳ４０３において、原稿が排紙口から抜かれたことを検知していない場合は、画像読取装置１はステップＳ４０５において、操作者から原稿は贋物でデータは無効であるとする、破棄指示を受けていないかどうかを調べる。ステップＳ４０５にて破棄指示を受けていなければ、ステップＳ４０３に戻る。ステップＳ４０５において、画像読取装置１は、破棄指示を受けていた場合は、読取った画像データをステップＳ４０６において破棄し、画像読取装置１は、贋物処理を終了する。
【００３７】
以上のような構成にすれば、操作者は、仮に画像読取装置が真贋を誤判定したとしても、原稿を目視して確認することが可能となることに加え、誤判定であり本物だと操作者が認識した場合は、原稿を排紙口から引き抜く操作を行うことで、次の原稿の読み取りに移行させ、読取作業を続行できる。そのため、今まで読み取った画像データをむだにすることなく原稿束の読取処理を継続して実行することが可能となり、作業の手間を省くことができる。
【００３８】
なお、目視で本物と認識した操作者によって原稿が排紙口から抜かれるものとして説明したが、操作者が目視で贋物と認識した場合に操作者によって原稿が抜かれるものとしてもかまわない。その場合は、贋物と判定した場合に、原稿が引き抜かれることによる無効指示か、他の何らかの操作による有効指示を受けるまで待機するように、制御フローを変更すればよい。
【００３９】
上記各実施例（後述する実施例４及び５を含む）において、給送ローラ、分離ローラ、搬送ローラ、排紙ローラを使用しているが、給送ベルト、分離ベルト、分離パッド、搬送ベルト、排紙ベルト等に変更してもよい。また、各実施例においてＣＰＵが行っている処理の一部又は全てをハードウエアで実現してもよい。また、本発明における制御、検出、判断を含む各種処理の全てまたは一部を画像読取装置にケーブル、ネットワーク、無線通信、電磁波通信、光通信等により接続された外部機器に行わせてもよい。この場合、画像読取装置と外部機器を含むシステムが本発明の画像読取装置に相当する。
【００４０】
＜実施例４＞  以下に本発明に係る第４の実施の形態を、図１５〜図１９を参照しながら具体的に説明を行う。図１５は、原稿搬送状態を示す概略構成図であり、図１６は、本発明の処理を説明する為のフローチャート図である。図１７は、贋物処理の手順を例示したフローチャート図である。図１８は、画像読取装置１が原稿９０ａを贋物と判定した時に、既に次原稿９０ｂを給送しているときの図である。図１９は、画像読取装置１が次原稿９０ｂを給紙部２まで戻した状態を示した図である。  
【００４１】
まず、図１６のフローチャートを用いて説明していくが、必要に応じて図１〜図８等を適宜参照する。画像読取装置１は、図６に示すようにホストコンピュータ２０から通信ケーブル２１を介して画像読取の指示を受けると本処理を開始するが、画像読取装置１に備える不図示の操作部の操作で開始してもよい。まず、図４等に示す原稿載置部２に原稿９０が載置されているか否かを不図示のセンサを用いて確認する。原稿９０の載置を確認後、給送ローラ４と分離ローラ５とによって、載置された原稿束から重送しないように原稿９０を１枚ずつ搬送路へ給送するとともに搬送ローラ１３ａで搬送する。このとき、原稿検知センサ７を通過したことを検知すると画像読取装置１は不図示のタイマを用いて計時を行いながら、図３を用いてステップＳ５０１〜Ｓ５０５にて各種情報の読取／検出を開始する（ステップＳ６０１）。  
【００４２】
ここで、図１５は、ステップＳ６０１にて、原稿９０aを搬送路へ給送し、各種情報の読取／検出を開始したときを示した図を示す。図１６に示すステップＳ６０１の各種情報の読取／検出にて行われる透かし部９３の有無の検出、赤外線反応部９４の有無の検出、紫外線反応部９２の有無の検出、ＭＩＣＲ文字９１の読取および画像読取については、本実施例２での説明と同様であり、ここでの説明は省略する。  
【００４３】
次に、ステップＳ６０２において、画像読取装置１は、ステップＳ６０１において取得された、透かし部９３の有無の検知結果、赤外線反応部９４の有無の検知結果、紫外線反応部９２の有無の検知結果に基づき真贋判定部８５によって判定を行う。画像読取装置１は、真贋判定（ステップＳ６０３）の結果、搬送された原稿９０が本物と判定した場合（ステップＳ６０４でＹＥＳ）、原稿９０の搬送を継続させ、読み取った画像情報をホストコンピュータ２０へ通信ケーブル２１を介して転送し、排紙積載部３へ原稿の排出を行って本処理を終了する。なお、図１６においてステップＳ６０３とＳ６０４を説明上分けて図示しているが、１つの真贋判定ステップとしてもよい。一方、ステップＳ６０３の真贋判定の結果、搬送された原稿９０が贋物であると判定した場合（ステップＳ６０４でＮＯ）、画像読取装置１は、図１１に例示する贋物処理に移行する（ステップＳ６０５）。  
【００４４】
続いて、図１７には、上記ステップＳ６０５における贋物処理の手順を例示したフローチャート図を示している。画像読取装置１は、ステップＳ７０１の贋物処理に移行するとステップＳ７０２において、図１５に示した次の原稿９０ｂが給送されているか否かを検出する。ここで、図１８には、原稿読取装置1が、原稿９０ａを贋物と判定した時に、既に次の原稿９０ｂを給送しているときの図を示す。次の原稿９０ｂが給送されていることを検出した画像読取装置１は、Ｓ７０３において、次の原稿９０ｂを給紙部２まで戻す。ここで、図１９には、原稿読取装置１が、後続する次の原稿９０ｂを給紙部２まで戻した状態を示した図を示す。この時、原稿を排紙部３まで搬送する搬送部が１つの駆動源で構成されていた場合は、図１９のように、次の原稿９０ｂを給紙部２まで戻すまで、原稿９０ａも搬送路６内の上流へ逆送される。次の原稿９０ｂを給紙部２まで戻したことを検出した画像読取装置１は、図２０でも示しているように、ステップＳ７０４にて、次の原稿９０ｂを給送することなく、先行する原稿９０ａを搬送路６内の下流へ搬送する。第２原稿検知センサ１５が排紙ローラ１３ｂよりも所定距離だけ上流側の位置に設置されているものとし、原稿９０ａの搬送速度をｖとすると、第２原稿検知センサ１５の検知時点から所定距離の時間の経過後に原稿９０ａが排紙ローラ１３ｂに到達することになる。そこで、画像読取装置１は、不図示のタイマを用いて計時を行い、原稿９０ａの先端が排紙ローラ１３ｂを通過する時点よりも後で、原稿９０ａの後端が排紙ローラ１３ｂを通過し終わる時点よりも前に排紙動作を停止させる(ステップＳ７０５)。なお、搬送部と排紙部とを個別に制御できるようにした場合（例えば、別々の駆動源で構成した場合等）には、図示しないが、排紙部で贋物原稿を排出せずに留めつつ、搬送部の逆送制御によって次の後続原稿を給紙部（給送部）まで戻すことが可能である。これにより、後続原稿の戻し搬送を行っている間、贋物原稿を排紙部から取り除くことが可能であるので、処理の効率化を図ることができる。  
【００４５】
そして、搬送された原稿９０が贋物と判定された旨のホストコンピュータ２０への通知も行い、本処理を終了する。このように、贋物と判定された原稿が排紙部にニップされたまま保持された状態で停止し、贋物と判定された原稿が本物と判定された排出済み原稿と混ざり合うことがないので、後処理を容易に行うことができるとともに、原稿９０ａについての処理を終えた後、速やかに次の原稿９０ｂの処理を再開する事が可能となる。  
【００４６】
＜実施例５＞  以下に本発明に係る第５の実施の形態を、図面を参照しながら具体的に説明を行う。図２１は、本実施例の形態による画像読取装置の構成図を示している。実施例２の画像読取装置１ａと異なるのは、搬送路中に搬送ローラ１３ｃ、１３ｅが設けられており、搬送ローラ１３ｃは、搬送ローラ４と同じ第１搬送部により制御されている。また、搬送ローラ１３ｅは、排紙ローラ１３ｂと同じ第２搬送部により制御されている点である。ここでいう第１搬送部は、排紙動作する第２搬送部以外の搬送動作を行う部分であり、本実施例では、搬送ローラ４、１３、１３ｃである。第２搬送部は、本実施例では、搬送ローラ１３ｅと排紙ローラ１３ｂである。このような構成により、画像読取装置１ａは、前の原稿９０ａが第２搬送路に留まっていたとしても、次の原稿９０ｂが第１搬送部により搬送され、画像読取、及び各種情報の読取／検出処理を行うことが可能となり、処理効率を向上することができる。  
【００４７】
図２２は、本発明の処理を説明するためのフローチャートを例示する。以降、図２２のフローチャートを用いて説明していくが、必要に応じて図１〜図８等を適宜参照する。画像読取装置１ａは、ホストコンピュータ２０から通信ケーブル２１を介して画像読取の指示を受けると、本処理を開始し、原稿載置部２に原稿９０が載置されていることを確認後、給送ローラ4と分離ローラ５とによって、載置された原稿束から重送しないように原稿９０を１枚ずつ搬送路へ給送するとともに搬送ローラ１３ａで搬送する。このとき、原稿検知センサ７を通過したことを検知すると画像読取装置１ａは不図示のタイマを用いて計時を行いながら、図３を用いてステップＳ５０１〜Ｓ５０５にて各種情報の読取／検出を開始する（ステップＳ８０１）。  
【００４８】
図２５は、ステップＳ８０１にて、原稿９０ｂを搬送路へ給送し、各種情報の読取／検出を開始したときを示した図である。ステップＳ８０１の各種情報の読取／検出にて行われる透かし部９３の有無の検出、赤外線反応部９４の有無の検出、紫外線反応部９２の有無の検出、ＭＩＣＲ文字９１の読取および画像読取については、本実施例２での説明と同様であり、省略する。画像読取装置１ａは、前の原稿９０ａが第２搬送部により排紙されているか否かを検出する(ステップＳ８０３)。  
【００４９】
ステップＳ８０３において、前原稿９０ａが既に排出されているのであれば、画像読取装置１ａは、第１搬送部により制御されている搬送ローラ１３ｃによって、第２搬送部により制御されている搬送ローラ１３ｅまで原稿９０ｂの搬送を行う。(ステップＳ８０６)  一方、ステップＳ８０３において、図２６が示すように前の原稿９０ａが排紙部３へ排出されていない事を検出した時、画像読取装置１ａは、原稿の先端が、搬送ローラ１３ｃを超過しないところで第１搬送部を停止させる(ステップＳ８０４)。  
【００５０】
図２７は、前原稿９０ａが排紙口で停止している為に、画像読取装置１ａが、搬送ローラ１３ｃを超過しないところで原稿９０ｂを停止させている状態を例示した図である。そして、画像読取装置１ａは、ステップＳ８０５で、前原稿９０ａが排紙された事を検出するまで、待機する(ステップＳ８０５)。ステップＳ８０５において、前の原稿９０ａが排紙された事を検出した画像読取装置１ａは、搬送ローラ１３ｃを稼動させる事により、原稿９０ｂを搬送ローラ１３ｅへ搬送することにより、第２搬送部へ搬送する(ステップＳ８０６)。図２８は、画像読取装置１ａが原稿９０ｂの搬送を再開した状態を示した図である。ステップＳ８０７において、画像読取装置１ａは、ステップＳ８０２において取得された、透かし部９３の有無の検知結果、赤外線反応部９４の有無の検知結果、紫外線反応部９２の有無の検知結果に基づき真贋判定部８５によって判定を行う。画像読取装置１ａは、真贋判定の結果、搬送された原稿９０ｂが本物であると判定した場合（ステップＳ８０８でＹＥＳ）、ステップＳ８０９において図２３で例示されている本物処理を行う。  
【００５１】
以下、図２３を用いて画像読取装置１ａが行う本物処理について説明を行う。後続の原稿９０ｂが本物であると判定した画像読取装置１ａは、ステップＳ９０１において、本物処理を開始する。ステップＳ９０２において、画像読取装置１ａは、第２搬送部により、原稿９０ｂの搬送を継続させ、読み取った画像情報をホストコンピュータ２０へ通信ケーブル２１を介して転送する。ステップＳ９０３において、画像読取装置１ａは、原稿９０ｂを排紙口３へ排出して、本物処理を終了する。  
【００５２】
一方、真贋判定の結果、搬送された原稿９０ｂが贋物であると判定した場合（ステップＳ８０８でＮＯ）、画像読取装置１ａは、ステップＳ８１０において図２４で例示されている贋物処理を行う。  
【００５３】
以下、図２４を用いて画像読取装置1ａが行う贋物処理について説明を行う。後続の原稿９０ｂが贋物であると判定した画像読取装置１ａは、ステップＳ１００１において、贋物処理を開始する。ステップＳ１００２において、画像読取装置１ａは、第２搬送部により搬送している原稿９０ｂに対して、排紙動作を停止させる。停止処理については、実施例２において既に説明している為、省略する。  
【００５４】
図２９は、画像読取装置1ａが、原稿９０ｂの停止処理を行った状態を示した図である。原稿９０ｂを停止させた画像読取装置1ａは、ステップＳ１００３において、原稿９０ｂが贋物である旨をホストコンピュータ２０へ通信ケーブル２１を介して通知して、贋物処理を終了する。  
【００５５】
上述した各実施例では、画像読取装置を例に説明したが、本発明は勿論これに限定されず、例えば、搬送路に沿って原稿を搬送する搬送部と、この搬送路に沿って搬送される原稿の真贋を判定する真贋判定部と、搬送路から原稿を排出する排出部とを備え、真贋判定部によって贋物と判定された贋物原稿を排出部から排出せずに当該排出部に留まらせる原稿の真贋判定装置にも適用可能である。その場合でも、搬送路の上流側に原稿を給送する給送部を設ける場合、真贋判定部によって贋物と判定された原稿に続く後続の原稿が給送部から搬送路内に取り込まれている場合には、当該後続の原稿を給送部まで戻すよう制御することで、処理の効率化を図ることができる。また、本発明は、搬送路に沿って搬送される原稿の真贋を真贋判定部によって判定し、当該贋判定部によって贋物と判定された贋物原稿を排出せずに排出部に留まらせる原稿の真贋判定方法にも適用可能である。
【符号の説明】
【００５６】
１  画像読取装置
２  原稿載置部
３  排紙積載部
４  給送ローラ
５  分離ローラ
６  搬送路
７  原稿検知センサ
８  透かし検知部
９  赤外線検知部
１０  紫外線検知部
１１  磁気情報読取部
１２  画像読取部
１３ａ  搬送ローラ
１３ｂ  排紙ローラ
１４  第１原稿検知センサ
１５  第２原稿検知センサ
２０  ホストコンピュータ
２１  通信ケーブル
８０  ＣＰＵ
８１  磁気情報読取部
８２  透かし検知部
８３  赤外線検知部
８４  紫外線検知部
８５  真贋判定部
８６  画像読取部
９０  原稿
９１  ＭＩＣＲ文字
９２  紫外線反応部
９３  透かし部
９４  赤外線反応部
【図１】
2012084138.tif 000003
【図２】
2012084138.tif 000004
【図３】
2012084138.tif 000005
【図４】
2012084138.tif 000006
【図５】
2012084138.tif 000007
【図６】
2012084138.tif 000008
【図７】
2012084138.tif 000009
【図８】
2012084138.tif 000010
【図９】
2012084138.tif 000011
【図１０】
2012084138.tif 000012
【図１１】
2012084138.tif 000013
【図１２】
2012084138.tif 000014
【図１３】
2012084138.tif 000015
【図１４】
2012084138.tif 000016
【図１５】
2012084138.tif 000017
【図１６】
2012084138.tif 000018
【図１７】
2012084138.tif 000019
【図１８】
2012084138.tif 000020
【図１９】
2012084138.tif 000021
【図２０】
2012084138.tif 000022
【図２１】
2012084138.tif 000023
【図２２】
2012084138.tif 000024
【図２３】
2012084138.tif 000025
【図２４】
2012084138.tif 000026
【図２５】
2012084138.tif 000027
【図２６】
2012084138.tif 000028
【図２７】
2012084138.tif 000029
【図２８】
2012084138.tif 000030
【図２９】
2012084138.tif 000031